(57)【特許請求の範囲】
【請求項１】
顧客を特定するための特定情報が記憶された記憶媒体を読み取る第１読取手段と、
１取引の売上登録に対応したポイント数を発行する発行手段と、
前記記憶媒体の読み取りが行われない場合に、前記発行手段が発行したポイント数をコードシンボルにコード化するコード化手段と、
前記コードシンボルを印刷した印刷媒体を出力する出力手段と、
前記印刷媒体に印刷されたコードシンボルを読み取る第２読取手段と、
各顧客の特定情報と当該顧客に付与されたポイント数とを対応付けて管理するサーバ装置に、前記発行手段が発行したポイント数を前記特定情報とともに通知することでポイントの付与を行う付与手段と、
を備え、
前記付与手段は、前記第１読取手段によって前記記憶媒体が読み取られた直後に、前記売上登録及び前記コードシンボルの読み取りの何れが行われたかを判定し、前記売上登録が行われた場合には、前記発行手段が発行したポイント数を前記記憶媒体に記憶された特定情報とともに前記サーバ装置に通知し、前記コードシンボルの読み取りが行われた場合には、当該コードシンボルに含まれるポイント数を前記記憶媒体に記憶された特定情報とともに前記サーバ装置に通知するポイント付与装置。
【請求項２】
ポイントの仮発行を指示する指示手段を更に備え、
前記発行手段は、前記記憶媒体の読み取りが行われない場合、前記仮発行の指示に応じて、ポイント数を発行する請求項１に記載のポイント付与装置。
【請求項３】
前記コード化手段は、取引を識別するための取引情報を前記コードシンボルに含めてコード化し、
前記付与手段は、ポイント付与済の取引情報が登録された登録済リストに、前記第２読取手段により読み取られた前記コードシンボルに含まれる前記取引情報が登録されているか否かを判定し、未登録と判定した場合にポイントの付与を行う請求項１又は２に記載のポイント付与装置。
【請求項４】
前記付与手段は、ポイントの付与を行った取引の取引情報を、前記登録済リストに登録する請求項３に記載のポイント付与装置。
【請求項５】
前記コード化手段は、取引が行われた取引日時を前記コードシンボルに含めてコード化し、
前記付与手段は、現在日時と、前記第２読取手段により読み取られた前記コードシンボルに含まれる取引日時とを比較し、現在日時が取引日時を基点とした所定の期間内に含まれる場合にポイントの付与を行う請求項１〜４の何れか一項に記載のポイント付与装置。
【請求項６】
ポイント付与装置のコンピュータを、
顧客を特定するための特定情報が記憶された記憶媒体を読み取る第１読取手段と、
１取引の売上登録に対応したポイント数を発行する発行手段と、
前記記憶媒体の読み取りが行われない場合に、前記発行手段が発行したポイント数をコードシンボルにコード化するコード化手段と、
前記コードシンボルを印刷した印刷媒体を出力する出力手段と、
前記印刷媒体に印刷されたコードシンボルを読み取る第２読取手段と、
各顧客の特定情報と当該顧客に付与されたポイント数とを対応付けて管理するサーバ装置に、前記発行手段が発行したポイント数を前記特定情報とともに通知することでポイントの付与を行う付与手段と、
して機能させ、
前記付与手段は、前記第１読取手段によって前記記憶媒体が読み取られた直後に、前記売上登録及び前記コードシンボルの読み取りの何れが行われたかを判定し、前記売上登録が行われた場合には、前記発行手段が発行したポイント数を前記記憶媒体に記憶された特定情報とともに前記サーバ装置に通知し、前記コードシンボルの読み取りが行われた場合には、当該コードシンボルに含まれるポイント数を前記記憶媒体に記憶された特定情報とともに前記サーバ装置に通知するプログラム。
【発明の詳細な説明】
【技術分野】
【０００１】
本発明の実施形態は、ポイント付与装置及びプログラムに関する。
【背景技術】
【０００２】
従来、スーパー等の店舗におけるポイントサービスシステムでは、商品購入時にその商品購入額に応じたポイントを算出し、顧客に付与することが行われている。この算出されたポイントの顧客への付与では、ポイント付与を行う顧客（会員）毎に配布したポイント記録のための記録媒体（ポイントカード）の提示を受けて、その提示されたポイントカードに算出されたポイントを記録している。
【０００３】
ところで、上記のポイントサービスシステムでは、商品購入時にポイントカードを忘れた場合にその場でポイント付与を行うことができない。そのため、従来、会員がポイントカードを忘れた場合に、日時、売り場、ポイント数等を視認可能な状態で印字した用紙を発行する技術が提案されている。また、この技術では、用紙の発行後、この用紙に記載された内容を、後日店舗で入力したり、顧客自身が会員サーバに入力したりすることで、ポイントの付与が行われている。
【０００４】
しかしながら、上記の従来技術では、用紙に記載されたポイント数等の内容を手動で入力する必要があるため、煩わしく不便であった。
【発明の概要】
【発明が解決しようとする課題】
【０００５】
本発明が解決しようとする課題は、ポイントカードを忘れた顧客に対するポイント付与を簡便に行うことが可能なポイント付与装置及びプログラムを提供することである。
【課題を解決するための手段】
【０００６】
実施形態のポイント付与装置は、第１読取手段と、発行手段と、コード化手段と、出力手段と、第２読取手段と、付与手段とを備える。第１読取手段は、顧客を特定するための特定情報が記憶された記憶媒体を読み取る。発行手段は、１取引の売上登録に対応したポイント数を発行する。コード化手段は、前記記憶媒体の読み取りが行われない場合に、前記発行手段が発行したポイント数をコードシンボルにコード化する。出力手段は、前記コードシンボルを印刷した印刷媒体を出力する。第２読取手段は、前記印刷媒体に印刷されたコードシンボルを読み取る。付与手段は、各顧客の特定情報と当該顧客に付与されたポイント数とを対応付けて管理するサーバ装置に、前記発行手段が発行したポイント数を前記特定情報とともに通知することでポイントの付与を行う。更に、付与手段は、前記第１読取手段によって前記記憶媒体が読み取られた直後に、前記売上登録及び前記コードシンボルの読み取りの何れが行われたかを判定し、前記売上登録が行われた場合には、前記発行手段が発行したポイント数を前記記憶媒体に記憶された特定情報とともに前記サーバ装置に通知し、前記コードシンボルの読み取りが行われた場合には、当該コードシンボルに含まれるポイント数を前記記憶媒体に記憶された特定情報とともに前記サーバ装置に通知する。
【図面の簡単な説明】
【０００７】
【図１】図１は、実施形態のポイントシステムの構成を概略的に示す図である。
【図２】図２は、ＰＯＳ端末の電装系の構成を示すブロック図である。
【図３】図３は、ポイント付与装置の電装系の構成を示すブロック図である。
【図４】図４は、ストアコンピュータの電装系の構成を示すブロック図である。
【図５】図５は、会員サーバの電装系の構成を示すブロック図である。
【図６】図６は、会員マスタファイルのデータ構成を示した模式図である。
【図７】図７は、ＰＯＳ端末が実行する処理の一例を示したフローチャートである。
【図８】図８は、ポイント付与装置が実行する処理の一例を示したフローチャートである。
【発明を実施するための形態】
【０００８】
以下、添付図面を参照して、ポイント付与装置及びプログラムの実施形態を詳細に説明する。
【０００９】
図１は、実施形態に係るポイントシステム１の構成例を概略的に示す図である。本実施形態のポイントシステム１は、顧客の商品購入額（売上額）に対して、所定のポイント還元率でサービスポイント（以下、ポイントという）を与えるようにしたポイントサービス制度を実施する店舗で利用されるものである。また、ポイントサービス制度を利用する顧客には、当該顧客を特定するための特定情報を記録したポイントカード（図示せず）が配布されているものとする。なお、本実施形態では、特定情報として、各会員に割り当てられた固有の会員ＩＤを用いる形態を説明するが、これに限らないものとする。
【００１０】
図１に示すように、ポイントシステム１は、ＰＯＳ（Point  Of  Sales：販売時点管理）端末２と、ポイント付与装置３と、ストアコンピュータ４と、サーバコンピュータ（以下、会員サーバという）５とを有する。ここで、ＰＯＳ端末２及びポイント付与装置３は、ＬＡＮ等のネットワークＮを介してストアコンピュータ４及び会員サーバ５に接続される。なお、ネットワークＮに接続されるＰＯＳ端末２、ポイント付与装置３の個数は、特に問わないものとする。
【００１１】
ＰＯＳ端末２は、精算場所に配設されてキャッシャが売上処理を行うための端末装置である。ＰＯＳ端末２は、例えば、図２に示すような構成を備える。図２は、ＰＯＳ端末２の電装系の構成例を示すブロック図である。
【００１２】
図２に示すように、ＰＯＳ端末２は、ＣＰＵ（Central  Processing  Unit）、当該ＣＰＵとの協働により後述する売上処理等を実行するためのプラグラムを格納するＲＯＭ（Read  Only  Memory）、ＲＡＭ（Random  Access  Memory）等で構成されるコンピュータ構成の制御部２１を備える。制御部２１は、バス２２に接続された通信Ｉ／Ｆ２３を介して、ネットワークＮに接続された外部装置（ストアコンピュータ４等）との間で通信を実行し得るように構成されている。
【００１３】
また、制御部２１には、バス２２及びＩ／Ｏ機器制御部２４を介して、操作部２５、表示器２６、コードスキャナ２７、プリンタ２８が接続される。操作部２５は、後述する”締めキー”の他、数字キー、文字キー、カーソルキー等を備えている。コードスキャナ２７は、バーコードや二次元コード等のコードシンボルを読み取るための読取装置である。コードスキャナ２７は、例えば、商品に付されたコードシンボルの読み取りを行う。プリンタ２８は、売上処理に伴いレシート等の印刷を行うプリンタである。
【００１４】
ポイント付与装置３は、精算場所に配設されてキャッシャがポイントの付与処理を行うための端末装置である。ポイント付与装置３は、例えば、図３に示すような構成を備える。図３は、ポイント付与装置３の電装系の構成例を示すブロック図である。
【００１５】
図３に示すように、ポイント付与装置３は、ＣＰＵ、当該ＣＰＵとの協働により後述するポイント付与処理等を実行するためのプラグラムを格納するＲＯＭ、ＲＡＭ等で構成されるコンピュータ構成の制御部３１を備える。制御部３１は、バス３２に接続された通信Ｉ／Ｆ３３を介して、ネットワークＮに接続された外部装置（ストアコンピュータ４、会員サーバ５等）との間で通信を実行し得るように構成されている。
【００１６】
また、制御部３１には、バス３２及びＩ／Ｏ機器制御部３４を介して、操作部３５、表示器３６、カードリーダ３７、コードスキャナ３８、プリンタ３９が接続されている。操作部３５は、数字キー、文字キー、カーソルキー等を備えている。また、操作部３５は、ポイントの仮発行を指示するための仮発行キー３５１を備えている。キャッシャは、顧客からポイントカードの忘れが申告された場合に、仮発行キー３５１を押下することで、ポイントの仮発行を指示する。
【００１７】
カードリーダ３７は、ポイントカードに記録されたデータの読み取りを行う読取装置である。コードスキャナ３８は、コードシンボルを読み取るための読取装置である。コードスキャナ３８は、例えば、後述する仮ポイントレシートに付されたコードシンボルの読み取りを行う。プリンタ３９は、後述するポイントレシートや仮ポイントレシート等の印刷を行うプリンタである。
【００１８】
ストアコンピュータ４は、各店舗に設けられるサーバ装置である。ストアコンピュータ４は、例えば、図４に示すような構成を備える。図４は、ストアコンピュータ４の電装系の構成例を示すブロック図である。
【００１９】
図４に示すように、ストアコンピュータ４は、ＣＰＵ、当該ＣＰＵとの協働により各種の処理等を実行するためのプラグラムを格納するＲＯＭ、ＲＡＭ等で構成されるコンピュータ構成の制御部４１を備える。制御部４１は、バス４２に接続された通信Ｉ／Ｆ４３を介して、ネットワークＮに接続された外部装置（ＰＯＳ端末２、ポイント付与装置３等）との間で通信を実行し得るように構成されている。
【００２０】
また、制御部４１には、バス４２及びＩ／Ｏ機器制御部４４を介して、操作部４５、表示器４６、プリンタ４７及びハードディスクドライブ装置（以下、ＨＤＤという）４８が接続されている。
【００２１】
ＨＤＤ４８には、制御部４１のＣＰＵを動作させる各種プログラムの他、商品マスタファイルＦ１、店舗売上ファイルＦ２等が格納されている。商品マスタファイルＦ１は商品コードに対応付けて商品名や単価等の商品情報を記憶するファイルである。店舗売上ファイルＦ２は各ＰＯＳ端末２から送信される売上登録データを記憶するファイルである。係る売上登録データは、売上登録された各商品の商品名や単価、売上額等の取引内容の他、当該取引を識別するための取引情報（取引番号等）を含む。また、売上登録データは、取引が行われた取引日時や、この売上登録データを生成したＰＯＳ端末２を識別するための端末番号、当該ＰＯＳ端末２が所属する店舗を識別するための店舗番号等の情報を含んでもよい。
【００２２】
店舗にて商品が購入された場合、ＰＯＳ端末２は、ストアコンピュータ４から商品情報を取得することで売上処理を実行する。例えば、商品に付された商品コードがＰＯＳ端末２のコードスキャナ２７によって読み取られると、ＰＯＳ端末２は読み取った商品コードをストアコンピュータ４に問い合わせを行う。一方、ストアコンピュータ４では、ＰＯＳ端末２からの問い合わせに応じて商品マスタファイルＦ１を検索し、該当する商品コードに対応した商品情報を読み出してＰＯＳ端末２へ送信する。
【００２３】
また、ＰＯＳ端末２では、ストアコンピュータ４からの商品名や単価等を受信し、問い合わせした商品コード及び受信した商品名や単価等に基づいて部門別登録や表示器２６への表示、またプリンタ２８により印字処理を行い、さらに売上登録したデータをストアコンピュータ４へ送信する。そして、ＰＯＳ端末２から売上登録データを受け付けたストアコンピュータ４では、この売上登録データを店舗売上ファイルＦ２に登録する。
【００２４】
また、ポイントの発行或いは仮発行を行う場合、ポイント付与装置３は、ストアコンピュータ４から売上登録データを取得することで、売上額に応じたポイントの算出処理を行う。例えば、ポイント付与装置３では、操作部３５等を介して取引番号等、売上登録データを特定するための特定情報が入力されると、ストアコンピュータ４に当該特定情報の問い合わせを行う。一方、ストアコンピュータ４では、ＰＯＳ端末２からの問い合わせに応じて店舗売上ファイルＦ２を検索し、特定情報に対応した売上登録データを読み出してポイント付与装置３へ送信する。
【００２５】
ポイント付与装置３では、ストアコンピュータ４から売上登録データを受信すると、この売上登録データに含まれる売上額に応じたポイント数を算出（発行）する。なお、ポイントの算出に係る設定値（ポイント還元率等）は、任意に設定することが可能であるとする。
【００２６】
次に、会員サーバ５について説明する。会員サーバ５は、各会員に付与されたポイントの管理を行うサーバ装置である。会員サーバ５は、例えば、図５に示すような構成を備える。ここで、図５は会員サーバ５の電装系の構成例を示すブロック図である。
【００２７】
会員サーバ５は、ＣＰＵ、ＲＯＭ、ＲＡＭ等で構成されるコンピュータ構成の制御部５１を備える。制御部５１は、バス５２に接続された通信Ｉ／Ｆ５３を介して、ネットワークＮに接続された外部装置（ポイント付与装置３等）との間で通信を実行し得るように構成されている。
【００２８】
また、制御部５１には、バス５２及びＩ／Ｏ機器制御部５４を介して、操作部５５、表示器５６、プリンタ５７及びハードディスクドライブ装置（以下、ＨＤＤという）５８が接続されている。ＨＤＤ５８には、制御部５１のＣＰＵを動作させる制御プログラムの他、会員マスタファイルＦ３等が格納されている。
【００２９】
会員マスタファイルＦ３は、会員情報（氏名、生年月日、電話番号、所持ポイント等）を会員顧客毎に記憶するファイルである。
【００３０】
図６は、会員マスタファイルＦ３のデータ構成の一例を示す模式図である。図６に示すように、会員マスタファイルＦ３は、各顧客（会員）の会員ＩＤ毎に、当該会員の氏名、生年月日、電話番号、付与されたポイント数の累積値を示す所持ポイント等のデータ項目を会員情報として記憶している。
【００３１】
会員に対してポイントの付与を行う場合、ポイント付与装置３は、その会員の会員ＩＤと、付与するポイント数とを会員サーバ５に通知する。会員サーバ５の制御部５１は、通知された会員ＩＤをもとに会員マスタファイルＦ３を参照し、その会員ＩＤの所持ポイントに通知されたポイント数を加算してポイントの付与を行う。
【００３２】
次に、ＰＯＳ端末２で行われる処理、具体的には１取引の売上登録を行う売上処理の詳細を説明する。図７は、ＰＯＳ端末２が実行する処理の一例を示すフローチャートである。
【００３３】
図７に示すように、処理が開始されると、制御部２１は、商品に付された商品コードが、コードスキャナ２７により読み取られるまで待機する（ステップＳ１１：Ｎｏ）。ここで、制御部２１は、商品コードが読み取られたことを検出すると（ステップＳ１１：Ｙｅｓ）、商品コードをキーとして、ストアコンピュータ４からの商品名、商品単価等の商品情報を取得する（ステップＳ１２）。このとき、制御部２１は、商品名とその商品単価とを表示器２６に表示する形態としてもよい。
【００３４】
次いで、制御部２１は、コードスキャナ２７により次の商品コードが読み取られたか否かを判定する（ステップＳ１３）。ここで、新たな商品コードの入力を検出した場合には（ステップＳ１３：Ｙｅｓ）、ステップＳ１２に再び戻り商品コードに応じた処理を実行する。また、ステップＳ１３において、次の商品コードの入力を検出できない場合（ステップＳ１３：Ｎｏ）、制御部２１は、操作部２５を介して商品コード入力の終了を意味する“締めキー”が入力されたか否かを判定する（ステップＳ１４）。
【００３５】
ステップＳ１４において、“締めキー”の入力が検出できない場合には（ステップＳ１４：Ｎｏ）、ステップＳ１３に再び戻る。また、“締めキー”の入力を検出した場合（ステップＳ１４：Ｙｅｓ）、登録手段としての制御部２１は、ステップＳ１２で取得した各商品についての商品単価から売上額を算出する。次いで、制御部２１は、取引ＩＤや取引日時、端末番号等を付与した１取引分の売上登録データをストアコンピュータ４に送信することで、店舗売上ファイルＦ２に売上登録データを登録する（ステップＳ１５）。
【００３６】
そして、制御部２１は、各商品の商品名とその価格、そう売上額等に基づいて、本売上処理の明細（レシート）をプリンタ２８から出力させ（ステップＳ１６）、本処理を終了する。
【００３７】
次に、ポイント付与装置３で行われる処理、具体的にはポイントの付与に係るポイント付与処理の詳細を説明する。図８は、ポイント付与装置３が実行する処理の一例を示すフローチャートである。
【００３８】
図８に示すように、処理が開始されると、制御部３１は、カードリーダ３７によるポイントカードの読取の有無を判定する（ステップＳ２１）。ポイントカードの読取がない場合（ステップＳ２１：Ｎｏ）、制御部３１は、操作部３５の仮発行キー３５１が入力されたか否かを判定する（ステップＳ２２）。仮発行キー３５１が入力されない場合（ステップＳ２２：Ｎｏ）、制御部３１は、ステップＳ２１に戻る。
【００３９】
ステップＳ２２において仮発行キー３５１を押下する操作があった場合（ステップＳ２２：Ｙｅｓ）、制御部３１は、ポイント付与の対象となる取引の売上額が入力されるまで待機する（ステップＳ２３：Ｎｏ）。ここで、売上額の入力方法は特に問わないものとする。例えば、売上額は、操作部３５を介して直接入力する形態としてもよい。また、売上額は、ストアコンピュータ４から該当する取引の売上登録データを取得することで、この売上登録データに含まれる売上額を入力する形態としてもよい。また、ＰＯＳ端末２とポイント付与装置３とが接続されている場合には、ＰＯＳ端末２の売上処理で使用された売上額を取得する形態としてもよい。
【００４０】
制御部３１は、売上額の入力を受け付けると（ステップＳ２３：Ｙｅｓ）、その売上額に応じたポイント数を算出する（ステップＳ２４）。次いで、制御部３１は、算出したポイント数をコードシンボルにコード化する（ステップＳ２５）。そして、制御部３１は、このコードシンボルを表した仮ポイントレシートをプリンタ３９から出力させ（ステップＳ２６）、処理を終了する。
【００４１】
一方、ステップＳ２１において、ポイントカードの読取があった場合（ステップＳ２１：Ｙｅｓ）、制御部３１は、コードスキャナ３８により仮ポイントレシートが読み取られたか否かを判定する（ステップＳ２７）。ここで、制御部３１は、仮ポイントレシートの読み取り、つまりポイント数の入力を検出した場合には（ステップＳ２７：Ｙｅｓ）、ステップＳ３０に移行する。なお、本処理では、ポイントカード、仮ポイントレシートの順に、連続して読み取られる形態を説明するが、逆の順序で読み取られてもよい。
【００４２】
また、ステップＳ２７において仮ポイントレシートの読み取りがない場合（ステップＳ２７：Ｎｏ）、制御部３１は、ポイント付与の対象となる取引の売上額が入力されたか否かを判定する（ステップＳ２８）。ここで、売上額の入力がない場合には（ステップＳ２８：Ｎｏ）、制御部３１は、ステップＳ２７に戻る。なお、売上額の入力方法は、上述したように種々の形態を採用することが可能であるとする。
【００４３】
ステップＳ２８において、売上額の入力を受け付けると（ステップＳ２８：Ｙｅｓ）、制御部３１は、その売上額に応じたポイント数を算出し（ステップＳ２９）、ステップＳ３０に移行する。なお、ステップＳ２８での売上額の入力は（ステップＳ２８：Ｙｅｓ）、顧客（会員）がポイントカードを忘れずに持参した場合の処理に対応する。
【００４４】
続いて、制御部３１は、ステップＳ２１で読み取った会員ＩＤと、ステップＳ２７又はＳ２９で取得したポイント数との組を、会員サーバ５に送信することで、該当する会員にポイント数を付与する（ステップＳ３０）。そして、制御部３１は、ステップＳ３０で付与したポイント数等を表したポイントレシートをプリンタ３９から出力させ（ステップＳ３１）、処理を終了する。
【００４５】
以上のように、本実施形態のポイント付与装置３は、顧客（会員）がポイントカードを忘れた場合に、当該顧客の売上登録（売上額）に対応したポイント数を仮発行する。また、ポイント付与装置３は、仮発行したポイント数をコードシンボルにコード化し、当該コードシンボルを印刷媒体（仮ポイントレシート）に印刷して会員に渡す。そして、ポイント付与装置３は、顧客がポイントカードを持参した際に、ポイントカードと、同時に持参した仮ポイントレシートとを連続して読み取り、その読み取った会員ＩＤとポイント数とを会員サーバ５に通知することで、ポイントの付与を行う。
【００４６】
このように、本願発明では、ポイントカードを忘れた会員に対するポイントの付与を、仮ポイントレシート（コードシンボル）の読み取りにより実行できるように構成したので、ポイント付与にかかる作業を簡便に行うことができる。
【００４７】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４８】
例えば、上記実施形態では、制御部３１は、ポイント数をコード化することで、コードシンボルを生成したが、ポイント数以外の他の情報を含めてコードシンボルを生成してもよい。例えば、制御部３１は、ポイント付与の対象となった取引の売上登録データに含まれる、取引番号や取引日時、売上額等を、ポイント数とともにコード化してもよい。この場合、制御部３１は、仮ポイントレシート（コードシンボル）から読み取られる他の情報を用いてポイント付与に付随する付随処理を行ってもよい。
【００４９】
付随処理の一例としては、以下の処理が挙げられる。制御部３１は、仮ポイントレシートから取引番号を読み取ると、ポイント付与済の取引番号が登録されたポイント付与済リストを参照し、読み取った取引番号が登録済か否かを判定する。ここで、仮ポイントレシートから読み取った取引番号がポイント付与済リストに未登録の場合、制御部３１は、ポイントを付与するよう制御するとともに、読み取った取引番号をポイント付与済リストに登録する。また、仮ポイントレシートから読み取った取引番号がポイント付与済リストに登録済の場合、制御部３１は、ポイント付与済と判断し、ポイント付与を抑制する。この処理より、制御部３１は、同一の仮ポイントレシートによるポイントの多重付与を防止することができる。なお、ポイント付与済リストは、ポイント付与装置３が保持する形態としてもよいし、会員サーバ５等の外部装置が保持する形態としてもよい。
【００５０】
また、付随処理の他の例としては、以下の処理が挙げられる。制御部３１は、仮ポイントレシートから取引日時を読み取ると、この取引日時と現在日時とを比較する。ここで、現在日時が取引日時を基点とした所定の期間（有効期間）内に含まれる場合、制御部３１は、ポイントを付与するよう制御する。また、現在日時が有効期間外の場合、制御部３１は、期限切れと判断し、ポイント付与を抑制する。この処理より、制御部３１は、ポイントを付与する有効期間を設定することができる。
【００５１】
また、上記実施形態では、ＰＯＳ端末２とポイント付与装置３とを別体としたが、ＰＯＳ端末２とポイント付与装置３とを一体化することで、売上登録とポイント付与とをシームレスに行う形態としてもよい。
【００５２】
本実施形態のＰＯＳ端末２、ポイント付与装置３で実行されるプログラムは、ＲＯＭ等に予め組み込まれて提供される。本実施形態のＰＯＳ端末２、ポイント付与装置３で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５３】
さらに、本実施形態のＰＯＳ端末２、ポイント付与装置３で実行されるプログラムを、インターネット等のネットワークに接続されたコンピュータ上に格納し、ネットワーク経由でダウンロードさせることにより提供するように構成してもよい。また、本実施形態のＰＯＳ端末２、ポイント付与装置３で実行されるプログラムをインターネット等のネットワーク経由で提供または配布するように構成してもよい。
【００５４】
本実施形態のＰＯＳ端末２、ポイント付与装置３で実行されるプログラムは、上述した機能構成を含むモジュール構成となっている。実際のハードウェアとしては、ＣＰＵ（プロセッサ）が上記ＲＯＭからプログラムを読み出して実行することにより上記の処理を実現可能な機能構成が主記憶装置上にロードされ、生成されるようになっている。
【符号の説明】
【００５５】
１  ポイントシステム
２  ＰＯＳ端末
３  ポイント付与装置
４  ストアコンピュータ
５  会員サーバ
２１  制御部
３１  制御部
Ｎ  ネットワーク
【先行技術文献】
【特許文献】
【００５６】
【特許文献１】特開２０１４−１７４５７６号公報
【図１】
0006346120.tif 000002
【図２】
0006346120.tif 000003
【図３】
0006346120.tif 000004
【図４】
0006346120.tif 000005
【図５】
0006346120.tif 000006
【図６】
0006346120.tif 000007
【図７】
0006346120.tif 000008
【図８】
0006346120.tif 000009